(57)【要約】【課題】ジャンパー線を支える保持具を提供する。【解決手段】ジャンパー線保持具は、ジャンパー線保持具の両端に設けられ、第一位置決め孔と第二位置決め孔にはめるための複数の位置決めピンと、ジャンパー線をジャンパー線保持具に固定するための溝と、ジャンパー線の第一端と第二端を通し、上記溝の中に固定するための複数の固定孔と、ジャンパー線保持具の両端に設けられ、ジャンパー線の第一端と第二端を通し、それぞれ第一回路端及び第二回路端と電気的に接続するための複数の導線溝とを含む。【選択図】図３
0003133087.tif 000002
【実用新案登録請求の範囲】
【請求項１】
電子装置であって、
第一位置決め孔と、第二位置決め孔と、第一回路端と、第二回路端を備える回路基板と、
上記第一回路端と電気的に接続される第一端と、上記第二回路端と電気的に接続される第二端とを有するジャンパー線と、
回路基板に設けられるジャンパー線保持具とを含み、そのうちジャンパー線保持具は、
ジャンパー線保持具の両端に設けられ、第一位置決め孔と第二位置決め孔にはめるための複数の位置決めピンと、
ジャンパー線をジャンパー線保持具に固定するための溝と、
ジャンパー線の第一端と第二端を通し、上記溝の中に固定するための複数の固定孔と、
ジャンパー線保持具の両端に設けられ、ジャンパー線の第一端と第二端を通し、それぞれ第一回路端及び第二回路端と電気的に接続するための複数の導線溝とを含むことを特徴とする電子装置。
【請求項２】
前記ジャンパー線保持具は、回路基板上の電気素子に設置空間を残すためのスパン部を備えることを特徴とする請求項１記載の電子装置。
【請求項３】
前記ジャンパー線保持具は更に、回路基板上別のジャンパー線保持具と直列に連結するための連結部を備えることを特徴とする請求項１記載の電子装置。
【請求項４】
前記ジャンパー線保持具の連結部は楔形であることを特徴とする請求項３記載の電子装置。
【請求項５】
前記ジャンパー線保持具の連結部は円柱型であることを特徴とする請求項３記載の電子装置。
【請求項６】
回路基板に設けられるジャンパー線保持具であって、該回路基板は第一回路端と、第二回路端と、第一回路端と第二回路端を電気的に接続するジャンパー線を有し、該ジャンパー線保持具は、
ジャンパー線保持具の両端に設けられ、第一位置決め孔と第二位置決め孔にはめるための複数の位置決めピンと、
ジャンパー線をジャンパー線保持具に固定するための溝と、
ジャンパー線の両端を通し、ジャンパー線を上記溝の中に固定するための複数の固定孔と、
ジャンパー線保持具の両端に設けられ、ジャンパー線の両端を通し、それぞれ第一回路端及び第二回路端と電気的に接続するための複数の導線溝とを含むことを特徴とするジャンパー線保持具。
【請求項７】
前記ジャンパー線保持具は、回路基板上の電気素子に設置空間を残すためのスパン部を備えることを特徴とする請求項６記載のジャンパー線保持具。
【請求項８】
前記ジャンパー線保持具は更に、回路基板上別のジャンパー線保持具と直列に連結するための連結部を備えることを特徴とする請求項６記載のジャンパー線保持具。
【請求項９】
前記ジャンパー線保持具の連結部は楔形であることを特徴とする請求項８記載のジャンパー線保持具。
【請求項１０】
前記ジャンパー線保持具の連結部は円柱型であることを特徴とする請求項８記載のジャンパー線保持具。
【考案の詳細な説明】
【技術分野】
【０００１】
本考案はジャンパー線保持具に関し、特に直列に連結できる組み合わせ型ジャンパー線保持具に関する。
【背景技術】
【０００２】
近年、高度に成長するいわゆる３Ｃ産業（コンピューター、通信及び民生用電子機器）の分野では、プリント回路基板が欠かせないものとなっている。プリント回路基板（略してＰＣＢまたはＰＷＢと称する）は電子部品の実装と接続に供する素子であり、その主な目的は、各部品を接続して回路を構成するところにある。
【０００３】
電子製品の多機能化及び小型化に伴い、ＰＣＢには数多くの機能が求められている。特に信号線と電源線が不規則に敷設される安価の単層ＰＣＢでは、ジャンパー線を利用して導線敷設の不足を補い、回路設計の規格を満足させることが多い。
【０００４】
図１を参照する。図１は回路基板１０に設けられる従来のジャンパー線２０を表す説明図である。回路基板１０は第一回路端１１と第二回路端１２を備え、第一回路端１１と第二回路端１２はジャンパー線２０の第一端２１と第二端２２でつながっている。次に図２を参照する。図２は回路基板１０上、他の回路（電気素子１５）をまたぐように設けられる従来のジャンバー線２０を表す説明図である。従来のジャンパー線２０は熱収縮チューブで被覆される可撓な素子であり、その可撓性は実装作業に支障をきたしかねない。例えば、作業員の不注意によりジャンパー線２０を図２に示すＦ方向やＮ方向に押せば、ジャンパー線２０が変形・傾斜したり（高電圧ジャンパー線ならスパークオーバーと短絡が発生しやすい）、その溶接端が破損したりするおそれがある。のみならず、可撓なジャンパー線の両端を回路基板１０の回路端に固定・溶接するにも多大な時間がかかる。
【考案の開示】
【考案が解決しようとする課題】
【０００５】
本考案は前述の問題を解決するため、ジャンパー線を支える保持具を提供することを課題とする。
【課題を解決するための手段】
【０００６】
本考案は電子装置を提供する。該電子装置は、第一位置決め孔と、第二位置決め孔と、第一回路端と、第二回路端を備える回路基板と、上記第一回路端と電気的に接続される第一端と、上記第二回路端と電気的に接続される第二端とを有するジャンパー線と、回路基板に設けられるジャンパー線保持具とを含む。そのうちジャンパー線保持具は、ジャンパー線保持具の両端に設けられ、第一位置決め孔と第二位置決め孔にはめるための複数の位置決めピンと、ジャンパー線をジャンパー線保持具に固定するための溝と、ジャンパー線の第一端と第二端を通し、上記溝の中に固定するための複数の固定孔と、ジャンパー線保持具の両端に設けられ、ジャンパー線の第一端と第二端を通し、それぞれ第一回路端及び第二回路端と電気的に接続するための複数の導線溝とを含む。
【０００７】
本考案は更に、回路基板に設けられるジャンパー線保持具を提供する。該回路基板は第一回路端と、第二回路端と、第一回路端と第二回路端を電気的に接続するジャンパー線を有する。該ジャンパー線保持具は、ジャンパー線保持具の両端に設けられ、第一位置決め孔と第二位置決め孔にはめるための複数の位置決めピンと、ジャンパー線をジャンパー線保持具に固定するための溝と、ジャンパー線の両端を通し、ジャンパー線を上記溝の中に固定するための複数の固定孔と、ジャンパー線保持具の両端に設けられ、ジャンパー線の両端を通し、それぞれ第一回路端及び第二回路端と電気的に接続するための複数の導線溝とを含む。
【考案の効果】
【０００８】
本考案はジャンパー線を保持具の溝に収容し、その第一端を保持具の第一固定孔に通し、第二端を保持具の第二固定孔に通して基板と接続する。保持具の固定方法について、両端の位置決めピンで固定するほか、ジャンパー線を回路基板の回路端とリフロー法で溶接することも可能である。また、複数の保持具を両側に設けられる連結部で連結し、距離を伸ばすことも可能である。本考案によるジャンパー線は保持具の溝に収容されているため、設置時の不注意により変形・傾斜したり、基板との溶接部が破損したりするおそれはない。
【考案を実施するための最良の形態】
【０００９】
かかる装置の特徴を詳述するために、具体的な実施例を挙げ、図を参照にして以下に説明する。
【実施例１】
【００１０】
図３を参照する。図３は本考案の実施例１によるジャンパー線保持具５０を表す説明図である。ジャンパー線保持具５０は溝５３、複数の位置決めピン５１、５２、複数の固定孔６１、６２、複数の導線溝７１、７２、スパン部５４、及び連結部８０、８０’を備え、そのうち複数の位置決めピン５１、５２、複数の固定孔６１、６２、複数の導線溝７１、７２、及び連結部８０、８０’は保持具５０の両側に設けられている。ジャンパー線保持具５０の底面図に関しては図４を参照する。
【００１１】
図５を参照する。本考案によるジャンパー線保持具５０はジャンパー線３０を支えながら、ジャンパー線３０の第一端３１を回路基板１０の第一回路端１１と電気的に接続させ、第二端３２を回路基板１０の第二回路端１２と電気的に接続させている。ジャンパー線３０は溝５３を沿って保持具５０に固定され、保持具５０は回路基板１０上に設けられる。ジャンパー線３０の第一端３１は、保持具５０の一端にある第一固定孔６１を通過し、第一導線溝７１を沿って保持具５０の外へ伸び出ており、第二端３２は、保持具５０の別の端にある第二固定孔６２を通過し、第二導線溝７２を沿って保持具５０の外へ伸び出ている。ジャンパー線３０を保持具５０とともに回路基板１０に設置するときは、保持具５０の第一位置決めピン５１と第二位置決めピン５２を回路基板１０の第一位置決め孔１０１と第二位置決め孔１０２にはめ込み、更にジャンパー線３０の第一端３１を第一回路端１１と電気的に接続させ、第二端３２を第二回路端１２と電気的に接続させることで、保持具５０を回路基板１０に固定する。上記第一導線溝７１と第二導線溝７２にはそれぞれジャンパー線３０の第一端３１と第二端３２が通っており、回路基板１０と接続している。したがって、保持具５０を回路基板１０に密着して設置することが可能である。
【００１２】
図５に示すように、本考案によるジャンパー線保持具５０はスパン部５４を備えた橋型の素子である。保持具５０は回路基板１０上の配線（図５に示すのは電気素子１５）をまたぐように設けられ、ジャンパー線３０を所定の安全距離（例えば２．５ｍｍ）に持ち上げ、スパークオーバー・短絡を防ぐことができる。保持具５０を回路基板１０に固定した後、更にリフロー法でジャンパー線３０の第一端１１を第一回路端１１に、第二端３２を第二回路端１２に溶接して固定することができる。
【００１３】
図６を参照する。本考案によるジャンパー線保持具５０は両側にオス連結部８０’とメス連結部８０が設けられ、連結部の形は楔形（図３から図６に示す連結部８０、８０’）または円柱型（図７に示す連結部９０、９０’）である。接続対象である配線の間隔が遠い場合は保持具５０、５０’（２個以上も可能）を直列に連結させ、距離を伸ばすことができる。図６に示すように、保持具５０のメス連結部８０は保持具５０’のオス連結部８０’と結合され、ジャンパー線３０の第一端３１は保持具５０の第一固定孔６１を通過して第一回路端１１と電気的に接続し、第二端３２は保持具５０’の第二固定孔６２を通過して第二回路端１２と電気的に接続する。保持具５０、５０’の固定については、保持具５０の第一位置決めピン５１を第一位置決め孔１０１にはめ、更に保持具５０’の第二位置決めピン５２は第二位置決め孔１０２にはめれば完成できる。
【実施例２】
【００１４】
図８を参照する。直列に連結できるジャンパー線保持具５０以外、本考案は更に、複数の溝１５３、１５３’を備えたジャンパー線保持具５０を提供する。図８に示すように、複数のジャンパー線３０（非表示）は溝１５３、１５３’にそれぞれ固定され、その両端はそれぞれ第一固定孔１６１、１６１’と第二固定孔１６２、１６２’を通過する。保持具１５０は第一位置決めピン１５１と第二位置決めピン１５２で回路基板１０に固定され、連結部１８０、１８０’で直列に連結できる。
【００１５】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録の範囲に属するものとする。
【産業上の利用可能性】
【００１６】
本考案はジャンパー線を支える橋型の保持具を提供する。かかる構造は実施可能である。
【図面の簡単な説明】
【００１７】
【図１】従来のジャンパー線を表す説明図である。
【図２】基板上他の回路をまたぐように設けられる従来のジャンバー線を表す説明図である。
【図３】本考案の実施例１によるジャンパー線保持具を表す説明図である。
【図４】図３に示すジャンパー線保持具の底面図である。
【図５】ジャンパー線保持具を回路基板に設ける状態を表す説明図である。
【図６】ジャンパー線保持具の直列連結を表す説明図である。
【図７】円柱型のジャンパー線保持具の連結部を表す説明図である。
【図８】本考案の実施例２によるジャンパー線保持具を表す説明図である。
【符号の説明】
【００１８】
１０        回路基板
１１        第一回路端
１２        第二回路端
１５        電気素子
２０、３０        ジャンパー線
２１、３１        第一端
２２、３２        第二端
５０、５０’、１５０    ジャンパー線保持具
５１、１５１      第一位置決めピン
５２、１５２      第二位置決めピン
５３、１５３、１５３’  溝
５４        スパン部
６１、１６１、１６１’  第一固定孔
６２、１６２、１６２’  第二固定孔
７１        第一導線溝
７２        第二導線溝
８０、８０’、９０、９０’、  連結部
１８０、１８０’
１０１      第一位置決め孔
１０２      第二位置決め孔
Ｎ、Ｆ      方向
【図１】
0003133087.tif 000003
【図２】
0003133087.tif 000004
【図３】
0003133087.tif 000005
【図４】
0003133087.tif 000006
【図５】
0003133087.tif 000007
【図６】
0003133087.tif 000008
【図７】
0003133087.tif 000009
【図８】
0003133087.tif 000010